(57)【要約】【課題】高密度光ディスクに対し、最短マーク長及び最短スペース長の小さい信号を、狭いデータ検出窓幅Ｔｗにて高速で記録する際に、記録されるマークのエッジ位置のずれを抑制して記録データの品質を向上させること。【解決手段】発光パルス波形として、マークを形成する記録パルス１，２，３に先行する直前のスペースの区間において記録パルスのパワーレベルよりも低い予熱パルス４を印加する。そして、予熱パルスの立ち上り位置ｄＴｐｈまたはパワーレベルＰｐを、直前のスペースの長さに応じて変化させる。さらには、予熱パルスの立ち上り位置またはパワーレベルを、直後に形成するマークの長さに応じて変化させる。【選択図】図１
2010118148.tif 000002
【特許請求の範囲】
【請求項１】
情報信号に応じたパルス波形の光ビームを光ディスクに照射してマーク及びスペースを形成する光ディスク記録方法において、
上記マークを形成する記録パルスに先行する直前のスペースの区間において該記録パルスのパワーレベルよりも低い予熱パルスを印加し、
該予熱パルスの立ち上り位置を直前のスペースの長さに応じて変化させることを特徴とする光ディスク記録方法。
【請求項２】
情報信号に応じたパルス波形の光ビームを光ディスクに照射してマーク及びスペースを形成する光ディスク記録方法において、
上記マークを形成する記録パルスに先行する直前のスペースの区間において該記録パルスのパワーレベルよりも低い予熱パルスを印加し、
該予熱パルスのパワーレベルを直前のスペースの長さに応じて変化させることを特徴とする光ディスク記録方法。
【請求項３】
請求項１または２に記載の光ディスク記録方法において、
前記予熱パルスの立ち上り位置またはパワーレベルを、直後に形成するマークの長さに応じて変化させることを特徴とする光ディスク記録方法。
【請求項４】
情報信号に応じたパルス波形の光ビームを光ディスクに照射してマーク及びスペースを形成する光ディスク記録装置において、
上記光ディスクに照射する光ビームを発生するレーザ光源と、
上記情報信号から該レーザ光源の発生する光ビームのパルス波形を生成する信号処理部と、
上記情報信号に応じて該信号処理部を制御する制御部とを備え、
上記信号処理部の生成するパルス波形は、上記マークを形成する記録パルスに先行する直前のスペースの区間において該記録パルスのパワーレベルよりも低い予熱パルスを含み、
上記制御部は、該予熱パルスの立ち上り位置またはパワーレベルを直前のスペースの長さに応じて制御することを特徴とする光ディスク記録装置。
【請求項５】
情報信号に応じたパルス波形の光ビームを照射してマーク及びスペースを形成することが可能な光ディスクであって、
該光ディスクには、上記マークを形成する記録パルスに先行する直前のスペースの区間において該記録パルスのパワーレベルよりも低い予熱パルスを印加する際に、直前のスペースの長さに対して該予熱パルスの立ち上り位置またはパワーレベルをどのように設定するかについての情報が予め記録されていることを特徴とする光ディスク。
【発明の詳細な説明】
【技術分野】
【０００１】
本発明は、記録可能な光ディスクに情報信号に基づくレーザビーム信号を照射し情報信号を記録する光ディスクの記録技術に関する。
【背景技術】
【０００２】
ＤＶＤ−ＲＡＭやＤＶＤ−Ｒなどの記録可能な光ディスクの情報記録面には、反射率の異なる第１の状態と第２の状態とがあり、熱的な条件によって第１の状態から第２の状態へと可逆的あるいは不可逆的に状態変化できるように構成されている。特に状態変化が可逆的な光ディスクは書換型ディスクと、状態変化が不可逆的な光ディスクは追記型ディスクと呼ばれている。これらの光ディスクにおいては、レーザビームを微細な光スポットとして情報記録面に集光し局所的に加熱し、情報信号に応じて第１の状態（スペース）と第２の状態（マーク）を繰り返すパターンを形成することによって情報信号を記録している。
【０００３】
記録する情報信号に対し、照射するレーザビームの発光波形（照射パワーレベルの時間的変化パターン）を記録ストラテジと呼ぶ。そして蓄熱によるマーク形状の歪みを抑制するため次のような記録ストラテジが提案されている。
【０００４】
第１の方式は、記録マークを形成するマーク期間において、高パワーの第１のパワーレベル（記録レベル）と、低パワーの第２のパワーレベル（バイアスレベル）とを交互に繰り返す、複数個の連続パルス方式（マルチパルス方式とも呼ばれる）である。
【０００５】
第２の方式は、記録マークを形成するマーク期間において、先頭部を高パワーの第１のパワーレベル期間（トップパルス期間）とし、それに続く期間を低パワーの第２のパワーレベル（中間バイアス期間）とした方式である。なお、マーク期間の後端部において、前記第１のパワーレベル期間（ラストパルス期間）を設けることもできる（キャッスル方式とも呼ばれる）。第２の方式においては短パルス幅の繰り返しがないので、高速記録の場合においても、発光波形の歪みを少なくできる利点がある。
【０００６】
さらにスペース期間からマーク期間へ移行する際、切り替え位置での温度を早期に一定化するため、切り替え位置直前のスペース期間において記録レベルに至らない予熱パルス（プリヒートレベル）を与える予熱方式も提案されている（例えば特許文献１参照）。
【先行技術文献】
【特許文献】
【０００７】
【特許文献１】特開平７−２９２３９号公報
【発明の概要】
【発明が解決しようとする課題】
【０００８】
従来の光ディスク（ＣＤ、ＤＶＤ）の大容量・高密度化を図るため、波長４０５ｎｍ帯の青色レーザを用いた大容量次世代光ディスク（Ｂｌｕ−ｒａｙ  Ｄｉｓｃ、以下ＢＤ）が開発・製品化されている。次世代光ディスクでは、１−７ＰＰ変調方式が採用され、マーク及びスペースのサイズが極小化されている。マーク長及びスペース長は、従来ＤＶＤでは３〜１１Ｔｗであったのに対し、ＢＤでは２〜８Ｔｗとなる。ここにＴｗはデータ検出窓幅であり、基準クロックの周期と等しい。その結果、周方向の最短マーク長及び最短スペース長は、ＤＶＤが約０．４２μｍであるのに対し、ＢＤでは約０．１５μｍであって、隣接するマークが極めて近接して配置されることになる。
【０００９】
一方記録の高速化に関しては、ＢＤにおけるデータ検出窓幅Ｔｗは標準速で１５ｎｓ程度であるから、２倍速記録時はＴｗ＝７．５ｎｓ程度、４倍速記録時はＴｗ＝４ｎｓ程度と短小化する。その際、レーザの過渡的な発光特性（スルーレイト）に起因するパルス波形の変形歪の問題が生じる。
【００１０】
図２は、レーザ光源の一般的な発光特性を示したもので、発光パワーレベルが変化するのに所定の時間を要する。ボトム側１０％レベルからトップ側９０％レベルまで変化するのに要する時間を立ち上り時間、逆に９０％から１０％まで変化するのに要する時間を立ち下り時間と呼ぶと、これらの立ち上り時間及び立ち下り時間は共に１ｎｓ程度である。記録速度が高速化するほど、Ｔｗに対する立ち上り時間及び立ち下り時間の割合が大きくなり、レーザの発光波形は理想的な矩形波からずれた台形形状となる。更には発光波形が三角形状となり、発光パワーがトップレベルに到達せず、マーク形成が不完全となる。その結果、記録マークの先頭エッジ及び終端エッジ位置の精度が悪化し、データ品質が悪化（エラー増加）する要因となる。
【００１１】
上記特許文献１には、予熱方式により立ち上り時の温度を早期に一定化させることが述べられている。しかし、上記次世代ディスク（ＢＤ）のように記録マークが極めて近接して配置される場合、隣接マークからの熱干渉がより顕著に現れる。ここでの熱干渉とは、あるマークを記録する際にレーザビームによって注入された熱が拡散し、隣接する前後のマークの形成に影響を与えることである。その結果、形成されるマークのエッジ位置（境界位置）が所望位置からずれることになる。熱干渉の度合は、隣接するマークからの距離、すなわちスペース長に依存する。よって予熱方式において、予熱パルスを一律に与えるのでは不十分で、隣接マークからの熱干渉を十分考慮して予熱パルスのレベルや期間を設定しなければならない。上記特許文献１では、熱干渉を考慮した予熱パルスの具体的な設定については触れられていない。
【００１２】
本発明の目的は、上記従来技術の課題を鑑みて、次世代ＢＤディスクの如き高密度光ディスクに対し、最短マーク長及び最短スペース長の小さい信号を、狭いデータ検出窓幅Ｔｗにて高速で記録する際に、記録されるマークのエッジ位置のずれを抑制して記録データの品質を向上させることが可能な光ディスク記録方法、光ディスク装置、及びこれに用いる光ディスクを提供することにある。
【課題を解決するための手段】
【００１３】
本発明の光ディスク記録方法は、情報信号に応じたパルス波形の光ビームを光ディスクに照射してマーク及びスペースを形成するものであって、マークを形成する記録パルスに先行する直前のスペースの区間において記録パルスのパワーレベルよりも低い予熱パルスを印加し、予熱パルスの立ち上り位置またはパワーレベルを直前のスペースの長さに応じて変化させる。
【００１４】
さらには、前記予熱パルスの立ち上り位置またはパワーレベルを、直後に形成するマークの長さに応じて変化させる。
【００１５】
また本発明の光ディスク記録装置は、光ディスクに照射する光ビームを発生するレーザ光源と、情報信号からレーザ光源の発生する光ビームのパルス波形を生成する信号処理部と、情報信号に応じて信号処理部を制御する制御部とを備える。そして、信号処理部の生成するパルス波形は、マークを形成する記録パルスに先行する直前のスペースの区間において記録パルスのパワーレベルよりも低い予熱パルスを含み、制御部は、予熱パルスの立ち上り位置またはパワーレベルを直前のスペースの長さに応じて制御する。
【００１６】
また本発明の光ディスクには、マークを形成する記録パルスに先行する直前のスペースの区間において記録パルスのパワーレベルよりも低い予熱パルスを印加する際に、直前のスペースの長さに対して予熱パルスの立ち上り位置またはパワーレベルをどのように設定するかについての情報が予め記録されている。
【発明の効果】
【００１７】
本発明によれば、高密度・高速記録において、記録されるマークのエッジ位置のずれを抑制して記録データの品質を向上させることができる。
【図面の簡単な説明】
【００１８】
【図１】本発明の光ディスク記録方法の一実施例としてその記録ストラテジを示す図（実施例１）。
【図２】レーザ光源の一般的な発光特性を示した図。
【図３】先頭パルスのみを照射した場合の記録膜の温度変化を示す概念図。
【図４】先頭パルスに先行して予熱パルスを照射した場合の温度変化を示す概念図。
【図５】予熱パルスの立ち上り位置を固定した場合の温度変化を示す概念図（スペース長が２Ｔｗの場合）。
【図６】予熱パルスの立ち上り位置を固定した場合の温度変化を示す概念図（スペース長が３Ｔｗの場合）。
【図７】予熱パルスの立ち上り位置を固定した場合の温度変化を示す概念図（スペース長が４Ｔｗの場合）。
【図８】予熱パルスの立ち上り位置を変えた場合の温度変化を示す概念図（スペース長が２Ｔｗの場合）。
【図９】予熱パルスの立ち上り位置を変えた場合の温度変化を示す概念図（スペース長が３Ｔｗの場合）。
【図１０】前スペース長と記録マーク長の組合せに対する予熱パルスの立ち上り位置を設定するための参照テーブルの一例を示す図。
【図１１】本発明の光ディスク記録方法の他の実施例としてその記録ストラテジを示す図（実施例２）。
【図１２】前スペース長に応じて予熱パルスのパワーレベルを変えた場合の温度変化を示す概念図（スペース長が２Ｔｗの場合）。
【図１３】前スペース長に応じて予熱パルスのパワーレベルを変えた場合の温度変化を示す概念図（スペース長が３Ｔｗの場合）。
【図１４】前スペース長と記録マーク長の組合せに応じて予熱パルスのパワーレベルを設定するための参照テーブルの一例を示す図。
【図１５】図１または図１１において、最終パルスを省略した場合の記録ストラテジを示す図。
【図１６】本発明による光ディスク記録装置の一実施例を示すブロック図（実施例３）。
【図１７】本実施例における光ディスクの記録領域のレイアウトの一例を示す図。
【発明を実施するための形態】
【００１９】
以下、本発明の好適な実施の形態について図面を参照しながら説明する。
【実施例１】
【００２０】
図１は、本発明の光ディスク記録方法の一実施例としてその記録ストラテジを示す図である。本実施例における変調方式は１−７ＰＰ変調とし、記録再生における基準クロックの周期（データ検出窓幅）をＴｗとすると、最短マークおよび最短スペースの長さは２Ｔｗであり、最長マークおよび最長スペースの長さは８Ｔｗとなる。
【００２１】
（ａ）は、光ディスクに対して記録すべき情報を時系列的に表わすＮＲＺＩ信号であり、ここでは、記録マーク長が８Ｔｗ、４Ｔｗ、２Ｔｗの場合を示す。これに対して、適当な信号処理回路にて、（ｂ）のようにレーザビームのパワーレベルが時系列的に変化する発光パルス波形（記録ストラテジ）に変換する。
【００２２】
パルス波形はいわゆるキャッスル型とし、パワーレベルとしては記録レベルＰｗ、中間レベルＰｍ、予熱レベルＰｐ、バイアスレベルＰｂの４個のレベルを設定する。光ディスクの記録膜に記録レベルＰｗのレーザビームを照射することにより、第１の状態（本実施例ではスペースとする）から第２の状態（本実施例ではマークとする）に移行が可能である。中間レベルＰｍは、記録レベルＰｗと等しいか或はそれより低いパワーレベルであり、記録レベルＰｗに続けて照射することによって記録膜を第１の状態から第２の状態へ移行可能である。予熱レベルＰｐは記録レベルＰｗに先行し、中間レベルＰｍより低いか又は同等のパワーレベルとし、予熱レベルＰｐのレーザビーム照射による記録膜温度上昇のみでは第１の状態から第２の状態に移行しないものとする。またバイアスレベルＰｂは予熱レベルＰｐよりも低いパワーレベルである。
【００２３】
記録膜にマークを形成する際に、マーク長が４Ｔｗ以上の場合には、マーク先頭エッジ側に記録レベルＰｗで照射期間Ｔｔｏｐの先頭パルス１と、それに続けて中間レベルＰｍの中間パルス２と、マーク後端エッジ側に記録レベルＰｗで照射期間Ｔｌｐの最終パルス３を設ける。一方、マーク長が２Ｔｗ或は３Ｔｗの場合には、上記中間レベルＰｍの照射期間を設けず、記録レベルＰｗを単一パルス状に照射する。便宜上、この単一パルスも先頭パルス１と称する。
【００２４】
また、先頭パルス１に先行して、以下に述べる所定の長さの予熱レベルＰｐの照射期間（予熱パルス４）を設ける。さらにマーク終端に続いて、バイアスレベルＰｂの照射期間を設ける。
【００２５】
ここで、本実施例における各パルスの時刻（位置）及び照射時間（幅）の定義について説明する。先頭パルス１の立ち上り時刻は、ＮＲＺＩの立ち上り時刻から１Ｔｗだけ経過した時刻を基準に、変位時間ｄＴｔｏｐだけ先行した時刻とする。なお、該基準時刻に対して遅れて立ち上る場合には変位時間ｄＴｔｏｐは負の値とする。また、先頭パルス１の照射時間Ｔｔｏｐは先頭パルス１の立ち上り時刻から立ち下り時刻までの時間とする。一方、最終パルス３の立ち上り時刻はＮＲＺＩの立ち下り時刻から１Ｔｗだけ先行する時刻を基準に、変位時間ｄＴｌｐだけ先行した時刻とする。なお、該基準時刻に対して遅れて立ち上る場合には変位時間ｄＴｌｐは負の値とする。また、最終パルス３の照射時間Ｔｌｐは最終パルス３の立ち上り時刻から立ち下り時刻までの時間とする。予熱パルス４の立ち上り時刻は、ＮＲＺＩの立ち上り時刻を基準に、変位時間ｄＴｐｈだけ先行した時刻とする。なお、該基準時刻に対して遅れて立ち上る場合には変位時間ｄＴｐｈは負の値とする。
【００２６】
本実施例においては、ｄＴｔｏｐ、Ｔｔｏｐ、ｄＴｌｐ、Ｔｌｐ、ｄＴｐｈの各値は基準クロックＴｗに対する線形項と非線形項（定数項）との和で定義する。例えばｄＴｔｏｐを（１）式で定義する。
ｄＴｔｏｐ＝ａ・Ｔｗ／ｎ＋ｂ・ｔ        （１）
ここにｎは所定の整数であり、Ｔｗ／ｎはパルス分解能を表わす。ｔはＴｗに依存しない所定の時間である。またａ及びｂは各項の係数であり、ここでは整数とする。
【００２７】
ただし本発明はこれに限るものではなく、例えば基準クロックＴｗに対する線形項のみで定義してもよいし、逆に非線形項のみで定義しても構わない。また各パラメータのうち、線形項と非線形項の和で定義されるものと、線形項のみのものが混在してもよい。
【００２８】
次に、追記型ディスクにおける予熱パルスの効果について説明する。一般的な追記型ディスクにおいては、第１の状態（スペース）にある記録膜にレーザビームを照射すると局所的に熱が加えられて温度が上昇し、記録膜の材料特性として固有の閾値温度を超えると第２の状態（マーク）に変化する。言い換えると、記録膜の各位置にて到達した最高温度の分布において、閾値温度を超えた部分がマーク、閾値温度を超えなかった部分がスペースと見なすことができる。即ち、マークの形状は記録膜の最高温度の分布と閾値温度の関係によって決まる。
【００２９】
図３は、比較のために先頭パルス１のみを照射した場合の記録膜の温度変化を示す概念図である。図４は、先頭パルス１に先行して本実施例による予熱パルス４を照射した場合の記録膜の温度変化を示す概念図である。破線は、レーザビーム照射直後の温度状態を示し、実線は一定時間経過後の熱の拡散による温度上昇を考慮した最高温度を示す。なお、各パルスは理想的な矩形波と仮定する。
【００３０】
両者を比較すると、図４のように予熱パルス４がある場合には、閾値温度近傍において、破線で示した照射直後の温度と実線で示した最高温度とのずれが小さい。このことは熱の拡散の影響が小さく、パルス照射からマーク形状が確定するまでの時間が短いことを示している。予熱パルスを照射することで、閾値温度を超える位置のばらつき、即ちマークの先頭エッジのばらつきを抑制する効果が認められる。
【００３１】
また、予熱パルスがある場合は、記録膜の温度をある程度上昇させて閾値温度に近づけておくことにより、先頭パルスの記録レベルＰｗ１を予熱パルスなしの場合の記録レベルＰｗ０よりも低く設定できる。レーザの最高出力パワーに限界がある場合や、高速記録でレーザ発光波形が三角波形に近づいてきた場合に有効となる。
【００３２】
なお実際のレーザの発光波形は上記図３や図４に示す理想的なパルス波形と異なり、前記図２に示した如く所定の立ち上り時間及び立ち下り時間（各々およそ１ｎｓ）を有する。よって温度変化についても、図３や図４に示したカーブよりもなだらかになる。またその傾向は、記録速度が速くなりＴｗが小さくなってもレーザの立ち上り時間及び立ち下り時間は短くならないため、Ｔｗに対し相対的に顕著になる。温度変化がなだらかであるほど、閾値温度を超える位置がばらつき、マークの先頭エッジの位置のばらつきを増大させる原因となる。
【００３３】
そのような状況においても、予熱パルスがある場合には、先頭パルスの照射開始から閾値温度を超えるまでの時間が短く、比較的温度変化の大きい状態で閾値温度を超えることができる。よって、マークの先頭エッジの位置ばらつきを抑制する効果がある。
【００３４】
今まで予熱パルス印加による効果を説明してきたが、さらに、隣接マークからの熱干渉を考慮し、より最適な予熱パルスを設定することについて説明する。
【００３５】
図５〜図７は、隣接マークからの距離（すなわち先行するスペース長で、以下前スペースと呼ぶ）が異なる場合に、予熱パルス４の立ち上り位置ｄＴｐｈを固定した場合の各記録膜の温度変化を示す概念図である。図５は、２Ｔｗのスペースの後に２Ｔｗのマークを記録する場合、図６は３Ｔｗのスペースの後に２Ｔｗのマークを記録する場合、図７は４Ｔｗのスペースの後に２Ｔｗのマークを記録する場合である。破線はレーザビーム照射直後の温度状態を示し、実線は熱の拡散を考慮した最高温度を示す。なお、２Ｔｗのマークの先頭パルス１の位置は全て同じタイミングとする。
【００３６】
熱干渉により、各スペースの前のマークを記録する際に注入した熱が拡散し、スペース区間の温度も上昇する。２Ｔｗマークの先頭パルス１の立ち上りエッジ部における温度上昇を比較すると、最もスペース長が短い２Ｔｗスペースの場合（図５）が最も温度上昇が大きく、次いで３Ｔｗスペース（図６）、４Ｔｗスペース（図７）の順となる。その結果、マーク形状は記録膜温度が閾値温度を越える位置で決まるので、２Ｔｗマークの先頭エッジの位置は所望の位置よりも前方へシフトする。シフト量は前スペースの長さに依存し、２Ｔｗスペースの場合（図５）が最も大きく、次いで３Ｔｗスペース（図６）、４Ｔｗスペース（図７）の順となる。シフト量が発生しそれがばらつくと、２Ｔｗマークの長さと位置の精度が悪化する。
【００３７】
以上の結果をまとめると、熱干渉作用のため、前のマークに注入した熱の影響を受けて記録マークが前方に長くなる。熱干渉は熱の拡散に基づいて発生するため、スペース長が短いほど影響は顕著となり、シフト量は大きくなる。スペース長の長さによってシフト量が変化することは、記録信号の品質を悪化させる原因となる。
【００３８】
そこで本実施例においては、スペース長に応じて予熱パルスの立ち上り位置を制御した記録ストラテジとし、記録マーク形状の変化を抑制するように構成した。
【００３９】
図８と図９は、スペース長が異なる場合に、予熱パルス４をその立ち上り位置ｄＴｐｈを変えて与えた場合の各記録膜の温度変化を示す概念図である。図８は２Ｔｗのスペースの後に２Ｔｗのマークを記録する場合、図９は３Ｔｗのスペースの後に２Ｔｗのマークを記録する場合である。なお、４Ｔｗのスペースの後に２Ｔｗのマークを記録する場合は、前記図７に示した通りである。破線はレーザビーム照射直後の温度状態を示し、実線は熱の拡散を考慮した最高温度を示す。
【００４０】
本実施例においては、予熱パルスの立ち上り位置ｄＴｐｈについて、４Ｔｗスペースの場合（図７）が最も早く立ち上るようにし、次いで３Ｔｗスペース（図９）、２Ｔｗスペース（図８）の順とした（ｄＴｐｈ４＞ｄＴｐｈ３＞ｄＴｐｈ２）。すなわち、スペース長が長いほど予熱パルス幅Ｔｐｈを大きくし、スペース長が短ければ予熱パルス幅を小さくする。その結果、記録膜温度が閾値温度を越える位置はいずれの場合でもほぼ同一位置となり、よって２Ｔｗマークの先頭エッジの位置の精度を向上することができる。
【００４１】
マーク記録開始時点での温度状態は、前マークからの熱拡散（熱干渉）と予熱パルスにより注入したエネルギーとによって決まる。前述したように熱干渉はスペースの長さによって異なり、スペース長が短いほど熱干渉は大きい。そこで熱干渉による温度上昇を補償するように、予熱パルスによって与えるエネルギーを変化させる。これは、上記したように、スペース長が短いほど予熱パルス幅を小さくし、スペース長が長いほど予熱パルス幅を大きくすることで実現できる。
【００４２】
ところで熱干渉は熱の拡散に基づくものであるため、干渉の大きさはスペース長に対して線形に生じるわけではない。２Ｔｗスペースにおける温度上昇と３Ｔｗスペースにおける温度上昇との差分と、３Ｔｗスペースにおける温度上昇と４Ｔｗスペースにおける温度上昇との差分とを比較すると、スペース長がより短い側にある前者の方が差は大きい。さらにスペース長が長くなった、例えば５Ｔｗスペースと６Ｔｗスペースとでは、温度上昇の差はほとんどなくなってくる。
【００４３】
そこで本実施例においては、前スペース長が短い領域を対象に、例えば２Ｔｗ、３Ｔｗ、４Ｔｗ、及び５Ｔｗ以上の４種類に分類し、前スペース長の値に応じて予熱パルスの立ち上り位置を制御する。さらには、マークを記録する先頭パルス１の立ち上り位置ｄＴｔｏｐ及び期間Ｔｔｏｐは記録マーク長に応じて異なる場合があり、よって予熱パルスの立ち上り位置ｄＴｐｈ（即ち注入するエネルギー）も記録マーク長に応じて最適化するのが好ましい。
【００４４】
図１０は、前スペース長と記録マーク長の両者の組合せに応じて予熱パルスの立ち上り位置ｄＴｐｈを設定するための参照テーブルの一例を示す図である。ここでは、前スペース長を２Ｔｗ、３Ｔｗ、４Ｔｗ、５Ｔｗ以上の４種類に分類し、さらに記録マーク長を２Ｔｗ、３Ｔｗ、４Ｔｗ以上の３種類に分類し、これらの組合せにおける予熱パルスの立ち上り位置ｄＴｐｈの最適値の例を示す。
【００４５】
前スペース長と記録マーク長の分類の仕方、及び最適値ｄＴｐｈについては、図１０の例に限らないことは言うまでもない。例えば前スペース長を２Ｔｗ、３Ｔｗ、４Ｔｗ以上の３種類に分類してもよいし、逆に２Ｔｗ、３Ｔｗ、４Ｔｗ、５Ｔｗ、６Ｔｗ以上の５種類に分類してもよい。分類の仕方や熱干渉に対する補償量は、使用する光ディスク媒体の熱特性に応じて適宜決定すればよい。
【００４６】
また図１０では、前スペース長と記録マーク長の両者を考慮して予熱パルスの立ち上り位置を制御するものであるが、記録マーク長の影響を省略して前スペース長のみを考慮して制御することによっても、実用的には支障がない場合がある。その場合には、参照テーブルに保持すべきパラメータを減らすことができ、またＮＲＺＩのパターンの判定に係わる回路規模を縮小し判定のための時間を短縮できるという利点がある。
【００４７】
本実施例に示した記録ストラテジによれば、予熱パルスの立ち上り位置を、前スペースの長さに応じて、あるいは前スペースの長さと記録マークの長さの組合せに応じて制御することによって、熱干渉によるマークの先頭エッジ位置のシフトを抑制することができる。よって、次世代ＢＤディスクの如き高密度光ディスクに対し、最短マーク長及び最短スペース長の小さい信号を、狭いデータ検出窓幅Ｔｗにて高速で記録する際に、記録データの品質を向上させる効果がある。
【実施例２】
【００４８】
次に図１１は、本発明の光ディスク記録方法の他の実施例としてその記録ストラテジを示す図である。（ａ）は光ディスクに対して記録するＮＲＺＩ信号であり、記録マーク長が８Ｔｗ、４Ｔｗ、２Ｔｗの場合を示す。（ｂ）は発光パルス波形（記録ストラテジ）を示す。本実施例においても予熱パルス４を含むが、隣接マークからの熱干渉の補償を行うため、予熱パルス４のエネルギーをそのパワーレベルＰｐにより制御する構成とした。すなわち、前スペース長の長さに応じて、予熱パルス４のパワーレベルＰｐを最適に変化させるものである。なおこの例では、予熱パルス４の立ち上り位置ｄＴｐｈは、前スペース長に依らず一定としている。
【００４９】
図１２と図１３は、前スペース長に応じてパワーレベルを変えた予熱パルス４を照射した場合の記録膜の温度変化を示す概念図である。図１２は、２Ｔｗのスペースの後に２Ｔｗのマークを記録する場合を、また図１３は、３Ｔｗのスペースの後に２Ｔｗのマークを記録する場合である。破線はレーザビーム照射直後の温度状態を示し、実線は熱の拡散を考慮した最高温度を示す。なお４Ｔｗのスペースの後に２Ｔｗのマークを記録する場合は前記図７に示した通りである。
【００５０】
本実施例においては、４Ｔｗスペースの場合（図７）の予熱パルス４を最も高いパワーレベルＰｐ４に設定し、次いで３Ｔｗスペース（図１３）のレベルＰｐ３、２Ｔｗスペース（図１２）のレベルＰｐ２の順とした（Ｐｐ４＞Ｐｐ３＞Ｐｐ２）。つまり、スペース長が長いほどパワーレベルＰｐを高くし、スペース長が短いほどパワーレベルを低くする。その結果、記録膜温度が閾値温度を越える位置はいずれの場合でもほぼ同一位置となり、よって２Ｔｗマークの先頭エッジの位置の精度を向上することができる。このように本実施例では、熱干渉による温度上昇の補償を、予熱パルスのパワーレベルを制御することで実現するものである。
【００５１】
本実施例においても、前記実施例１と同様に、前スペース長を２Ｔｗ、３Ｔｗ、４Ｔｗ、及び５Ｔｗ以上と４種類に分類し、各前スペース長の値に対して予熱パルスのパワーレベルを制御する。さらには、前記実施例１と同様に、記録マーク長に応じて最適化するのが好ましい。
【００５２】
図１４は、前スペース長と記録マーク長の両者の組合せに応じて予熱パルスのパワーレベルＰｐを設定するための参照テーブルの一例を示す図である。ここでは、前スペース長を２Ｔｗ、３Ｔｗ、４Ｔｗ、５Ｔｗ以上の４種類に分類し、さらに記録マーク長を２Ｔｗ、３Ｔｗ、４Ｔｗ以上の３種類に分類し、これらの組合せにおける予熱パルスのパワーレベルＰｐの最適値の例を示す。
【００５３】
ここに前スペース長と記録マーク長の分類の仕方、及び最適値Ｐｐについては、図１４の例に限らないことは言うまでもない。また、記録マーク長の影響を省略して前スペース長のみを考慮して制御することによっても、実用的には支障がない場合がある。
【００５４】
本実施例に示した記録ストラテジによれば、予熱パルスのパワーレベルを、前スペースの長さに応じて、あるいは前スペースの長さと記録マークの長さの組合せに応じて制御することによって、熱干渉によるマークの先頭エッジ位置のシフトを抑制することができる。よって、次世代ＢＤディスクの如き高密度光ディスクに対し、最短マーク長及び最短スペース長の小さい信号を、狭いデータ検出窓幅Ｔｗにて高速で記録する際に、記録データの品質を向上させる効果がある。
【００５５】
上記実施例１では予熱パルスの立ち上り位置を制御する構成を示し、実施例２では予熱レベルを制御する構成を示したが、さらに両者を組み合わせて予熱パルスの立ち上り位置と予熱レベルとを共に制御する構成とすれば、より高精度の制御が可能となる。
【００５６】
上記実施例１および実施例２においては、前スペース長の違いによるマーク先頭エッジ位置のシフトに焦点を絞って説明してきた。一方、該先頭エッジのシフトほど顕著ではないが、マーク終端エッジにおいても後スペース長の違いによってエッジ位置のシフトが発生する。この対策としては、後スペース長に応じて最終パルス３の立ち上り位置ｄＴｌｐや立ち下り位置を制御すればよい。ただし最終パルスの立ち下り位置を変更することによって記録面の温度状態が変わり、次のマーク形成時に及ぼす熱干渉の状態も変わってしまう。よって、次の予熱パルスの立ち上り位置やそのパワーレベルについても合わせて最適化するのが望ましい。例えば、２Ｔｗスペース前の最終パルスの立ち下り位置が前方にシフトすると、次の予熱パルスおよび先頭パルスまでの間隔が広がるので、熱干渉の影響が減少する。そのような場合、予熱パルスの立ち上り位置も前方にシフトすれば、次に形成されるマーク先頭エッジ位置の変化を抑えることができる。
【００５７】
上記実施例１（図１）及び実施例２（図１１）では、記録ストラテジとして先頭パルス１と最終パルス３の両方を有する発光パルス波形を前提に説明した。その変形として、最終パルス３を省略し、先頭パルス１と中間パルス２だけとすることもできる。図１５は、最終パルスを省略した場合の記録ストラテジを示す図である。この場合マークの終端エッジは、中間パルス２により形成されることになる。その結果、終端位置での熱拡散の条件が変わり、媒体の熱特性によっては、マークの終端エッジ位置のばらつきを低減できることが期待できる。
【００５８】
上記実施例１（図１）及び実施例２（図１１）では、記録ストラテジとして先頭パルスと最終パルス及び中間パルスを有する発光パルス波形（いわゆるキャッスル方式）を前提に説明した。本発明はこれに限らず、高パワーレベルと低パワーレベルとを交互に繰り返す複数個の連続パルス方式（いわゆるマルチパルス方式）においても、予熱パルスを採用することで、同様にマークエッジ位置のばらつきを低減することができる。
【実施例３】
【００５９】
次に本発明による光ディスク記録装置およびこれに用いる光ディスクについて説明する。
【００６０】
図１６は、本発明による光ディスク記録装置の一実施例を示すブロック図である。本実施例においては再生も可能な構成を示す。記録可能な光ディスク１００（例えば高密度記録用Ｂｌｕ−ｒａｙ  Ｄｉｓｃ）は、スピンドルモータ１１０に備えられたチャッキング機構１１２により保持されている。スピンドルモータ１１０を駆動させることにより、光ディスク１００が回転し、光ピックアップ１１７からレーザビームを回転する光ディスク１００に照射する。光ピックアップ１１７は送りモータ１１６を駆動させることで、ガイドレール１１５に沿って、光ディスク１００の半径方向に移動する。
【００６１】
光ピックアップ１１７には、光ビーム発生器である半導体レーザ１３１が備えられている。該半導体レーザ１３１から出射した光ビームはコリメートレンズ１３２及びビームスプリッタ１３３を透過し、対物レンズ１３６により集光する。対物レンズ１３６は対物レンズアクチュエータ１２１に保持され、光ディスク１００の記録面に垂直な方向（フォーカス方向）並びにディスク半径方向（トラッキング方向）に変位・位置決め可能な構成となっており、光ビームを光ディスク１００の所定の位置に集光させる。
【００６２】
光ディスク１００の記録面に集光された光ビームの一部は、反射されて再び対物レンズ１３６を透過し、ビームスプリッタ１３３にて反射され、検出レンズ１３４で集光されて光検出器１３５で光強度を検出する。光検出器１３５は、受光領域が複数に分割されており、各々の受光領域で検出された光強度はアンプ１５２で増幅されると共に演算され、対物レンズ１３６で集光された光スポットと光ディスク１００との相対的な位置関係の情報（サーボ情報）と情報再生信号とに分離される。サーボ信号はサーボコントローラ１５１に送られ、再生信号はデコーダ１５３に送られる。
【００６３】
光ディスク記録装置に光ディスク１００が取付けられ、チャッキング機構１１２が光ディスク１００を固定すると、検出器１４０が作動し、その信号をシステムコントローラ１５０に送る。システムコントローラ１５０はそれを受けて、スピンドルモータ１１０を制御して光ディスク１００を所定の回転数となるように回転させる。また、システムコントローラ１５０は、送りモータ１１８を制御して、光ピックアップ１１７を所定の位置に位置決めする。また、システムコントローラ１５０は、半導体レーザ１３１を発光させると共に、サーボコントローラ１５１を介して送りモータ１１６を制御し、対物レンズアクチュエータ１２１を駆動して対物レンズ１３６の形成する焦点スポットを光ディスク１００の所定の位置に位置決めする。次いでサーボコントローラ１５１は、焦点スポットが光ディスク１００上の記録面に形成された旨の信号をシステムコントローラ１５０に送る。システムコントローラ１５０はデコーダ１５３を作動し、再生信号をデコードする。
【００６４】
その際システムコントローラ１５０は、サーボコントローラを介して、焦点スポットが光ディスク１００のコントロールゾーンの情報トラックに位置決めされるようにする。上記動作の結果、システムコントローラ１５０は光ディスク１００のコントロールゾーンの情報トラックを再生し、当該光ディスク１００に関する記録ストラテジを含む記録に関するディスク情報（ＤＩ）を読み出す。
【００６５】
図１７は、本実施例における光ディスク１００の記録領域のレイアウトの一例を示す図である。当該ディスクの記録ストラテジに関する情報は、２つのコントロールゾーンに格納されている。１つは、内周側のＰＩＣ領域（Ｐｅｒｍａｎｅｎｔ  Ｉｎｆｏｒｍａｔｉｏｎ  ＆  Ｃｏｎｔｒｏｌ  ｄａｔａ  ｚｏｎｅ）２０１であり、もう１つは、ユーザエリア２０２のＡＤＩＰ（Ａｄｒｅｓｓ  ｉｎ  Ｐｒｅ−ｇｒｏｏｖｅ：ウォブルによるアドレス情報）に埋め込まれ、領域全面に分散されて繰り返し記録されている。
【００６６】
これらのコントロールゾーンには、記録に関するディスク情報として、前記図１または図１１に示した各実施例の記録ストラテジの各パラメータ、及び前記図１０または図１４に示した参照テーブルの値が記録されている。参照テーブルの値については、そのタイプ（値が係数値か差分値か）を示すフラグも添付される。これらの情報により、本実施例の光ディスクの記録動作を最適に設定することが可能となる。
【００６７】
システムコントローラ１５０はこれら記録に関する情報、すなわち記録パワーレベル、各記録パルスの時間的な関係、各参照テーブル、及びフラグの情報を読み取り、信号処理回路１５４のパラメータテーブル、遅延回路１５５のパラメータテーブル、及び電流シンク１５６の電流シンク量パラメータテーブルに書き込む。
【００６８】
入力コネクタ１５９を介して図示しない上位コントローラから情報記録の指示が送られてきた場合、システムコントローラ１５０はサーボコントローラ１５１に指示を与えて焦点スポットを光ディスク１００の上の所定の位置に位置決めする。また記録すべき情報は信号処理回路１６１によりＮＲＺＩ信号に変換され、さらに信号処理回路１５４により複数の最適なパルス波形（パルス列）に変換される。その際システムコントローラ１５０は、情報信号の各マーク長及び各スペース長を随時検出し、上記参照テーブルに基づいて印加する予熱パルスの立ち上り位置あるいはパワーレベルを変化させる。これらのパルス列は遅延回路１５５を通って各々所定の遅延を与えられ、電流シンク１５６へと伝えられる。
【００６９】
定電流源１５７には半導体レーザ１３１と複数の電流シンク１５６が接続されており、これらで消費される電流の合計は一定である。電流シンク１５６が動作して電流を吸収すると、その分半導体レーザ１３１へ供給する電流量が低下する。これにより、半導体レーザで発光する光ビームのパワーレベルを変化させる。信号処理回路１５４と遅延回路１５５で生成した信号により、複数の電流シンク１５６を適当なタイミングで吸収動作させ、前記実施例（図１または図１１）に示したような記録ストラテジ（発光パルス波形）を実現する。
【００７０】
ここに信号処理回路１５４と遅延回路１５５と電流シンク１５６と定電流源１５７は、他のブロックと独立して１個の集積回路（レーザドライバＩＣ）として構成することもできる。その場合、前記実施例で述べた記録ストラテジの制御パラメータ（予熱パルスの立ち上り位置または予熱レベルを前スペース長さに応じて制御する）を、レーザドライバＩＣの機能として組み込むことが可能である。
【００７１】
本実施例の光ディスク記録装置によれば、次世代ＢＤディスクの如き高密度光ディスクに対し、最短マーク長及び最短スペース長の小さい信号を、狭いデータ検出窓幅Ｔｗにて高速で記録する際の記録データの品質を向上させることができる。
【符号の説明】
【００７２】
１…先頭パルス、２…中間パルス、３…最終パルス、４…予熱パルス、１００…光ディスク、１１０…スピンドルモータ、１１６…送りモータ、１１７…光ピックアップ、１３１…半導体レーザ、１３５…光検出器、１３６…対物レンズ、１５０…システムコントローラ、１５１…サーボコントローラ、１５４…信号処理回路、１５５…遅延回路、１５６…電流シンク、１５７…定電流源、１６１…信号処理回路。
【図１】
2010118148.tif 000003
【図２】
2010118148.tif 000004
【図３】
2010118148.tif 000005
【図４】
2010118148.tif 000006
【図５】
2010118148.tif 000007
【図６】
2010118148.tif 000008
【図７】
2010118148.tif 000009
【図８】
2010118148.tif 000010
【図９】
2010118148.tif 000011
【図１０】
2010118148.tif 000012
【図１１】
2010118148.tif 000013
【図１２】
2010118148.tif 000014
【図１３】
2010118148.tif 000015
【図１４】
2010118148.tif 000016
【図１５】
2010118148.tif 000017
【図１６】
2010118148.tif 000018
【図１７】
2010118148.tif 000019
【手続補正書】
【提出日】平成22年3月5日(2010.3.5)
【手続補正１】
【補正対象書類名】特許請求の範囲
【補正対象項目名】全文
【補正方法】変更
【補正の内容】
【特許請求の範囲】
【請求項１】
情報信号に応じたパルス波形の光ビームを光ディスクに照射してマーク及びスペースを形成する光ディスク記録方法において、
上記マークを形成する記録パルスに先行する直前のスペースの区間において該記録パルスのパワーレベルよりも低いパルスを印加し、
該予熱パルスの立ち上り位置を直前のスペースの長さに応じて変化させることを特徴とする光ディスク記録方法。
【請求項２】
情報信号に応じたパルス波形の光ビームが照射され、マーク及びスペースが形成される光ディスクであって、
該光ディスクには、上記マークを形成する記録パルスに先行する直前のスペースの区間において該記録パルスのパワーレベルよりも低いパルスを印加する際に、直前のスペースの長さに対して該予熱パルスの立ち上り位置またはパワーレベルをどのように設定するかについての情報が予め記録されていることを特徴とする光ディスク。